(57)【要約】【課題】映像撮影中に撮影装置内にある映像データの付加情報や使用区間を変更することを目的とする。【解決手段】使用区間を変更する場合は、撮影情報変更装置２００内のインデックスファイル変更手段２０５を用いて、インデックスファイル内の映像データの使用区間を変更し、映像撮影装置１００内のインデックスファイル更新手段１０５で更新を行う。付加情報を変更する場合は、撮影情報変更装置３６０内の付加情報ファイル変更手段３６７を用いて映像データ内の付加情報を変更し、映像撮影装置３３０内の付加情報更新装置３３５で更新を行う。【選択図】図１
2005057635.tif 000002
【特許請求の範囲】
【請求項１】
映像ファイルを記録する映像ファイル記憶手段と、
前記映像ファイル記憶手段内の映像ファイルを読み出す映像ファイル読み出し手段と、
映像ファイル名と映像ファイルの使用区間が記述されているインデックスファイルを記録するインデックスファイル記憶手段と、
前記インデックスファイル記憶手段内のインデックスファイルを読み出すインデックスファイル読み出し手段と、
インデックスファイルの変更時に前記インデックスファイル記憶手段上のインデックスファイルを書き換えるインデックスファイル更新手段と、
ネットワーク経由で他の機器と通信を行う第１の通信手段とを備え、
前記第１の通信手段が外部からのインデックスファイル取得命令を受信すると、前記インデックスファイル読み出し手段が前記インデックスファイル記憶手段からインデックスファイルを読み出して前記第１の通信手段から送信し、
前記第１の通信手段が外部からの映像ファイル取得命令を受信すると、前記映像ファイル読み出し手段が前記映像ファイル記憶手段から映像ファイルを読み出して前記第１の通信手段から送信し、
前記第１の通信手段が外部からインデックスファイルを受信すると、前記インデックスファイル更新手段は、インデックスファイル内の更新済みマークがある部分を前記インデックスファイル記憶手段に格納されているインデックスファイルに上書きする、映像記録装置。
【請求項２】
映像ファイル名と映像ファイルの使用区間が記述されているインデックスファイルを取得するインデックスファイル取得手段と、
インデックスファイル内に記述されている映像ファイル名の中から映像ファイル名を選択する表示用映像ファイル名選択手段と、
前記表示用映像ファイル名選択手段によって取得された映像ファイル名を用いて、映像ファイルを取得する映像ファイル取得手段と、
前記映像ファイル取得手段で取得した映像ファイルを表示する映像ファイル表示手段と、
前記インデックスファイル取得手段で取得したインデックスファイルを変更するインデックスファイル変更手段と、
ユーザからの入力を受け付ける入力手段と、
ネットワーク経由で他の機器と通信を行う第２の通信手段とを備え、
前記インデックスファイル取得手段は、前記第２の通信手段からインデックスファイル取得命令を送信し、
前記第２の通信手段がインデックスファイルを受信すると、前記表示用映像ファイル名選択手段はインデックスファイルに記述されている映像ファイル名の中から使用区間が記述されている映像ファイル名の一覧を表示し、前記入力手段からの入力にしたがって映像ファイル名を選択し、
前記映像ファイル取得手段は、前記表示用映像ファイル名選択手段から選択された映像ファイル名とともに映像ファイル取得命令を前記第２の通信手段から送信し、
前記第２の通信手段が映像ファイルを受信すると、前記映像ファイル表示手段が映像ファイルを表示し、前記インデックスファイル変更手段が前記入力手段からの入力にしたがってインデックスファイルファイルを変更すると共にインデックスファイルの変更部分に更新済みマークを記録した後、変更されたインデックスファイルを前記第２の通信手段から送信する、撮影情報変更装置。
【請求項３】
映像撮像装置と撮影情報変更装置とを備えた撮影情報変更システムであって、
前記映像撮像装置は、映像ファイルを記録する映像ファイル記憶手段と、
前記映像ファイル記憶手段内の映像ファイルを読み出す映像ファイル読み出し手段と、
映像ファイル名と映像ファイルの使用区間が記述されているインデックスファイルを記録するインデックスファイル記憶手段と、
前記インデックスファイル記憶手段内のインデックスファイルを読み出すインデックスファイル読み出し手段と、
インデックスファイルの変更時に前記インデックスファイル記憶手段上のインデックスファイルを書き換えるインデックスファイル更新手段と、
ネットワーク経由で他の機器と通信を行う第１の通信手段とを備え、
前記撮影情報変更装置は、インデックスファイルを取得するインデックスファイル取得手段と、
インデックスファイル内に記述されている映像ファイル名の中から映像ファイル名を選択する表示用映像ファイル名選択手段と、
前記表示用映像ファイル名選択手段によって取得された映像ファイル名を用いて、映像ファイルを取得する映像ファイル取得手段と、
前記映像ファイル取得手段で取得した映像ファイルを表示する映像ファイル表示手段と、
前記インデックスファイル取得手段で取得したインデックスファイルを変更するインデックスファイル変更手段と、
ユーザからの入力を受け付ける入力手段と、
ネットワーク経由で前記第１の通信手段と通信を行う第２の通信手段とを備え、
前記インデックスファイル取得手段は、前記第２の通信手段からインデックスファイル取得命令を送信し、
前記第１の通信手段が外部からのインデックスファイル取得命令を受信すると、前記インデックスファイル読み出し手段が前記インデックスファイル記憶手段からインデックスファイルを読み出して前記第１の通信手段から送信し、
前記第２の通信手段がインデックスファイルを受信すると、前記インデックスファイル取得手段は前記インデックスファイルを取得し、前記表示用映像ファイル名選択手段はインデックスファイルに記述されている映像ファイル名の中から使用区間が記述されている映像ファイル名の一覧を表示し、前記入力手段からの入力にしたがって映像ファイル名を選択し、
前記映像ファイル取得手段は、前記表示用映像ファイル名選択手段から選択された映像ファイル名とともに映像ファイル取得命令を前記第２の通信手段から送信し、
前記第１の通信手段が外部からの映像ファイル取得命令を受信すると、前記映像ファイル読み出し手段が前記映像ファイル記憶手段から映像ファイルを読み出して前記第１の通信手段から送信し、
前記第２の通信手段が映像ファイルを受信すると、前記映像ファイル表示手段が映像ファイルを表示し、前記インデックスファイル変更手段が前記入力手段からの入力にしたがってインデックスファイルファイルを変更すると共にインデックスファイルの変更部分に更新済みマークを記録した後、変更されたインデックスファイルを前記第２の通信手段から送信し、
前記第１の通信手段が外部からインデックスファイルを受信すると、前記インデックスファイル更新手段は、インデックスファイル内の更新済みマークがある部分を前記インデックスファイル記憶手段に格納されているインデックスファイルに上書きする、撮影情報変更システム。
【請求項４】
前記映像ファイル記憶手段は、映像ファイルと同じ画像で映像ファイルより符号量の少ない低解像度映像ファイルを記録し、
前記第１の通信手段が外部からの映像ファイル取得命令を受信すると、前記映像ファイル読み出し手段が前記映像ファイル記憶手段から低解像度映像ファイルを読み出して前記第１の通信手段から送信する、請求項１記載の映像撮影装置。
【請求項５】
前記映像ファイル表示手段は、前記映像ファイル取得手段で取得した低解像度映像ファイルを表示する、請求項２記載の撮影情報変更装置。
【請求項６】
前記映像ファイル記憶手段は、映像ファイルと同じ画像で映像ファイルより符号量の少ない低解像度映像ファイルを記録し、
前記第１の通信手段が外部からの映像ファイル取得命令を受信すると、前記映像ファイル読み出し手段が前記映像ファイル記憶手段から低解像度映像ファイルを読み出して前記第１の通信手段から送信し、
前記映像ファイル表示手段は、前記映像ファイル取得手段で取得した低解像度映像ファイルを表示する、請求項３記載の撮影情報変更システム。
【請求項７】
映像ファイルを記録する映像ファイル記憶手段と、
前記映像ファイル記憶手段内の映像ファイルのファイル名を読み出す映像ファイル名一覧読み出し手段と、
前記映像ファイル記憶手段内の映像ファイルを読み出す映像ファイル読み出し手段と、
前記映像ファイル記憶手段内にある映像ファイルから付加情報を読み出す付加情報読み出し手段と、
付加情報の変更時に映像ファイル内の付加情報を書き換える付加情報更新手段と、
前記映像ファイル記憶手段内の映像ファイル名の一覧を読み出す映像ファイル名一覧読み出し手段と、
ネットワーク経由で他の機器と通信を行う第１の通信手段とを備え、
前記第１の通信手段が映像ファイル名一覧取得命令を受信すると、前記映像ファイル名一覧読み出し手段が映像ファイル記憶手段から映像ファイル名一覧を取得して第１の送信手段から送信し、
前記第１の通信手段が外部からの映像ファイル取得命令を受信すると、前記映像ファイル読み出し手段が前記映像ファイル記憶手段から映像ファイルを読み出して前記第１の通信手段から送信し、
前記第１の通信手段が外部から付加取得命令を受信すると、前記付加情報読み出し手段が前記映像ファイル記憶手段から所定の映像ファイルを読み出し、前記映像ファイルから付加情報を抽出して前記第１の通信手段から送信し、
前記第１の通信手段が外部から付加情報を受信すると、前記付加情報更新手段は所定の映像ファイルに前記付加情報を埋め込む、映像記録装置。
【請求項８】
映像ファイル名一覧を取得する映像ファイル名一覧取得手段と、
前記映像ファイル名一覧の中から、表示に用いる映像ファイル名を選択する表示用映像ファイル名選択手段と、
前記表示用映像ファイル名選択手段によって取得された映像ファイル名を用いて、前記映像撮影装置内に格納されている映像ファイルを取得する映像ファイル取得手段と、
前記映像ファイル取得手段で取得した映像ファイルを表示する映像ファイル表示手段と、
前記表示用映像ファイル名選択手段によって取得された映像ファイル名を用いて、前記映像撮影装置内に格納されている付加情報を取得する付加情報取得手段と、
前記付加情報を変更する付加情報変更手段と、
ユーザからの入力を受け付ける入力手段と、
ネットワーク経由で他の機器と通信を行う第２の通信手段とを備え、
前記映像ファイル名一覧取得手段は、前記第２の通信手段から映像ファイル名一覧取得命令を送信し、
前記第２の通信手段が映像ファイル名一覧を受信すると、前記表示用映像ファイル名選択手段は前記映像ファイル名一覧を表示し、前記入力手段からの入力にしたがって映像ファイルを選択し、
前記映像ファイル取得手段は、前記表示用映像ファイル名選択手段から選択された映像ファイル名とともに映像ファイル取得命令および付加取得命令を前記第２の通信手段から送信し、
前記第２の通信手段が映像ファイルを受信すると、前記映像ファイル表示手段が映像ファイルを表示し、
前記第２の通信手段が付加情報を受信すると、前記付加情報変更手段が前記入力手段からの入力にしたがって付加情報を変更した後、変更された付加情報を前記第２の通信手段から送信する、撮影情報変更装置。
【請求項９】
映像撮像装置と撮影情報変更装置とを備えた撮影情報変更システムであって、
前記映像撮影装置は、映像ファイルを記録する映像ファイル記憶手段と、
前記映像ファイル記憶手段内の映像ファイルのファイル名を読み出す映像ファイル名一覧読み出し手段と、
前記映像ファイル記憶手段内の映像ファイルを読み出す映像ファイル読み出し手段と、
前記映像ファイル記憶手段内にある映像ファイルから付加情報を読み出す付加情報読み出し手段と、
付加情報の変更時に映像ファイル内の付加情報を書き換える付加情報更新手段と、
前記映像ファイル記憶手段内の映像ファイル名の一覧を読み出す映像ファイル名一覧読み出し手段と、
ネットワーク経由で他の機器と通信を行う第１の通信手段とを備え、
前記撮影情報変更装置は、映像ファイル名の一覧を取得する映像ファイル名一覧取得手段と、
前記映像ファイル名一覧の中から、表示に用いる映像ファイル名を選択する表示用映像ファイル名選択手段と、
前記表示用映像ファイル名選択手段によって取得された映像ファイル名を用いて、前記映像撮影装置内に格納されている映像ファイルを取得する映像ファイル取得手段と、
前記映像ファイル取得手段で取得した映像ファイルを表示する映像ファイル表示手段と、
前記表示用映像ファイル名選択手段によって取得された映像ファイル名を用いて、前記映像撮影装置内に格納されている付加情報を取得する付加情報取得手段と、
前記付加情報を変更する付加情報変更手段と、
ユーザからの入力を受け付ける入力手段と、
ネットワーク経由で他の機器と通信を行う第２の通信手段とを備え、
前記映像ファイル名一覧取得手段は、前記第２の通信手段から映像ファイル名一覧取得命令を送信し、
前記第１の通信手段が映像ファイル名一覧取得命令を受信すると、前記映像ファイル名一覧読み出し手段が映像ファイル記憶手段から映像ファイル名一覧を取得して第１の送信手段から送信し、
前記第２の通信手段が映像ファイル名一覧を受信すると、前記表示用映像ファイル名選択手段は前記映像ファイル名一覧を表示し、前記入力手段からの入力にしたがって映像ファイルを選択し、
前記映像ファイル取得手段は、前記表示用映像ファイル名選択手段から選択された映像ファイル名とともに映像ファイル取得命令および付加取得命令を前記第２の通信手段から送信し、
前記第１の通信手段が外部からの映像ファイル取得命令を受信すると、前記映像ファイル読み出し手段が前記映像ファイル記憶手段から映像ファイルを読み出して前記第１の通信手段から送信し、
前記第１の通信手段が外部から付加取得命令を受信すると、前記付加情報読み出し手段が前記映像ファイル記憶手段から所定の映像ファイルを読み出し、前記映像ファイルから付加情報を抽出して前記第１の通信手段から送信し、
前記第２の通信手段が映像ファイルを受信すると、前記映像ファイル表示手段が映像ファイルを表示し、
前記第２の通信手段が付加情報を受信すると、前記付加情報変更手段が前記入力手段からの入力にしたがって付加情報を変更した後、変更された付加情報を前記第２の通信手段から送信し、
前記第１の通信手段が外部から付加情報を受信すると、前記付加情報更新手段は所定の映像ファイルに前記付加情報を埋め込む、撮影情報変更システム。
【請求項１０】
映像ファイルおよび前記映像ファイルと同じ画像で映像ファイルより符号量の少ない低解像度映像ファイルを記録する映像ファイル記憶手段と、
前記映像ファイル記憶手段内の低解像度映像ファイルを読み出す映像ファイル読み出し手段と、
前記映像ファイル記憶手段内にある映像ファイルから付加情報を読み出す付加情報読み出し手段と、
付加情報の変更時に映像ファイル内の付加情報を書き換える付加情報更新手段と、
映像ファイル名と映像ファイルの使用区間が記述されているインデックスファイルを記録するインデックスファイル記憶手段と、
前記インデックスファイル記憶手段内のインデックスファイルを読み出すインデックスファイル読み出し手段と、
ネットワーク経由で他の機器と通信を行う第１の通信手段とを備え、
前記第１の通信手段が外部からのインデックスファイル取得命令を受信すると、前記インデックスファイル読み出し手段が前記インデックスファイル記憶手段からインデックスファイルを読み出して前記第１の通信手段から送信し、
前記第１の通信手段が外部からの映像ファイル取得命令を受信すると、前記映像ファイル読み出し手段が前記映像ファイル記憶手段から低解像度映像ファイルを読み出して前記第１の通信手段から送信し、
前記第１の通信手段が外部から付加取得命令を受信すると、前記付加情報読み出し手段が前記映像ファイル記憶手段から所定の映像ファイルを読み出し、前記映像ファイルから付加情報を抽出して前記第１の通信手段から送信し、
前記第１の通信手段が外部から付加情報を受信すると、前記付加情報更新手段は所定の映像ファイルに前記付加情報を埋め込む、映像記録装置。
【請求項１１】
映像ファイル名と映像ファイルの使用区間が記述されているインデックスファイルを取得するインデックスファイル取得手段と、
インデックスファイル内に記述されている低解像度映像ファイル名の中から低解像度映像ファイル名を選択する表示用映像ファイル名選択手段と、
前記表示用映像ファイル名選択手段によって取得された低解像度映像ファイル名を用いて、低解像度映像ファイル名を取得する映像ファイル取得手段と、
前記映像ファイル取得手段で取得した低解像度映像ファイルを表示する映像ファイル表示手段と、
前記表示用映像ファイル名選択手段によって取得された低解像度映像ファイル名を用いてインデックスファイルから映像ファイル名を検索し、前記映像ファイル名を用いて前記映像撮影装置内に格納されている付加情報を取得する付加情報取得手段と、
前記付加情報を変更する付加情報変更手段と、
ユーザからの入力を受け付ける入力手段と、
ネットワーク経由で他の機器と通信を行う第２の通信手段とを備え、
前記インデックスファイル取得手段は、前記第２の通信手段からインデックスファイル取得命令を送信し、
前記第２の通信手段がインデックスファイルを受信すると、前記表示用映像ファイル名選択手段はインデックスファイルに記述されている映像ファイル名の中から使用区間が記述されている映像ファイル名の一覧を表示し、前記入力手段からの入力にしたがって低解像度映像ファイル名を選択し、
前記映像ファイル取得手段は、前記表示用映像ファイル名選択手段から選択された低解像度映像ファイル名とともに映像ファイル取得命令を前記第２の通信手段から送信し、
前記第２の通信手段が低解像度映像ファイルを受信すると、前記映像ファイル表示手段が低解像度映像ファイルを表示し、
前記付加情報取得手段は、低解像度映像ファイル名を用いてインデックスファイルから映像ファイル名を検索し、前記映像ファイル名および付加取得命令を前記第２の通信手段から送信し、
前記第２の通信手段が付加情報を受信すると、前記付加情報変更手段が前記入力手段からの入力にしたがって付加情報を変更した後、変更された付加情報を前記第２の通信手段から送信する、撮影情報変更装置。
【請求項１２】
映像撮像装置と撮影情報変更装置とを備えた撮影情報変更システムであって、
前記映像撮影装置は、映像ファイルおよび前記映像ファイルと同じ画像で映像ファイルより符号量の少ない低解像度映像ファイルを記録する映像ファイル記憶手段と、
前記映像ファイル記憶手段内の低解像度映像ファイルを読み出す映像ファイル読み出し手段と、
前記映像ファイル記憶手段内にある映像ファイルから付加情報を読み出す付加情報読み出し手段と、
付加情報の変更時に映像ファイル内の付加情報を書き換える付加情報更新手段と、
映像ファイル名と映像ファイルの使用区間が記述されているインデックスファイルを記録するインデックスファイル記憶手段と、
前記インデックスファイル記憶手段内のインデックスファイルを読み出すインデックスファイル読み出し手段と、
ネットワーク経由で他の機器と通信を行う通信手段とを備え、
前記撮影情報変更装置は、映像ファイル名と映像ファイルの使用区間が記述されているインデックスファイルを取得するインデックスファイル取得手段と、
インデックスファイル内に記述されている低解像度映像ファイル名の中から低解像度映像ファイル名を選択する表示用映像ファイル名選択手段と、
前記表示用映像ファイル名選択手段によって取得された低解像度映像ファイル名を用いて、低解像度映像ファイルを取得する映像ファイル取得手段と、
前記映像ファイル取得手段で取得した低解像度映像ファイルを表示する映像ファイル表示手段と、
前記表示用映像ファイル名選択手段によって取得された低解像度映像ファイル名を用いてインデックスファイルから映像ファイル名を検索し、前記映像ファイル名を用いて前記映像撮影装置内に格納されている付加情報を取得する付加情報取得手段と、
前記付加情報を変更する付加情報変更手段と、
ユーザからの入力を受け付ける入力手段と、
ネットワーク経由で他の機器と通信を行う第２の通信手段とを備え、
前記インデックスファイル取得手段は、前記第２の通信手段からインデックスファイル取得命令を送信し、
前記第１の通信手段が外部からのインデックスファイル取得命令を受信すると、前記インデックスファイル読み出し手段が前記インデックスファイル記憶手段からインデックスファイルを読み出して前記第１の通信手段から送信し、
前記第２の通信手段がインデックスファイルを受信すると、前記表示用映像ファイル名選択手段はインデックスファイルに記述されている映像ファイル名の中から使用区間が記述されている映像ファイル名の一覧を表示し、前記入力手段からの入力にしたがって低解像度映像ファイル名を選択し、
前記映像ファイル取得手段は、前記表示用映像ファイル名選択手段から選択された低解像度映像ファイル名とともに映像ファイル取得命令を前記第２の通信手段から送信し、
前記第１の通信手段が外部からの映像ファイル取得命令を受信すると、前記映像ファイル読み出し手段が前記映像ファイル記憶手段から低解像度映像ファイルを読み出して前記第１の通信手段から送信し、
前記第２の通信手段が低解像度映像ファイルを受信すると、前記映像ファイル表示手段が低解像度映像ファイルを表示し、
前記付加情報取得手段は、低解像度映像ファイル名を用いてインデックスファイルから映像ファイル名を検索し、前記映像ファイル名および付加取得命令を前記第２の通信手段から送信し、
前記第１の通信手段が外部から付加取得命令を受信すると、前記付加情報読み出し手段が前記映像ファイル記憶手段から所定の映像ファイルを読み出し、前記映像ファイルから付加情報を抽出して前記第１の通信手段から送信し、
前記第２の通信手段が付加情報を受信すると、前記付加情報変更手段が前記入力手段からの入力にしたがって付加情報を変更した後、変更された付加情報を前記第２の通信手段から送信し、
前記第１の通信手段が外部から付加情報を受信すると、前記付加情報更新手段は所定の映像ファイルに前記付加情報を埋め込む、撮影情報変更システム。
【請求項１３】
前記映像撮影装置が高解像度の素材用の映像ファイルと低解像度の映像ファイルの２種類の映像ファイルを同時に記録し、前記撮影情報変更装置では低解像度の映像ファイルを取得して表示することを特徴とする請求項３記載の撮影情報変更システム。
【請求項１４】
前記映像撮影装置が高解像度の素材用の映像ファイルと、低解像度の映像ファイルの２種類の映像ファイルを同時に記録し、前期表示用映像ファイル名選択手段で取得した表示用の映像ファイル名が低解像度の映像ファイルであった場合に、前記インデックスファイル取得手段で取得したインデックスファイルと、前期表示用映像ファイル名選択手段で取得した低解像度の映像ファイル名から高解像度の素材用映像ファイル名を取得する素材用映像ファイル名取得手段を備えたことを特徴とする請求項６、または請求項９記載の撮影情報変更システム。
【請求項１５】
前記映像撮影装置中の通信手段と前期撮影情報変更装置中の通信手段間で無線ＬＡＮを用いることを特徴とする請求項３または請求項６または請求項９または請求項１２記載の撮影情報変更システム。
【発明の詳細な説明】
【技術分野】
【０００１】
本発明は、撮影データの使用区間変更機能および付加情報変更機能をもった映像撮影装置、撮影情報変更装置に関する。
【背景技術】
【０００２】
従来は、現在撮影中の映像に対し、ＧＰＳから位置情報やその他の付加情報を送信して埋め込んでいた。以下に従来技術の付加情報埋め込み方法について説明する。図７は映像撮影装置を示し、８０１は携帯電話、８０２はメモリ、８０３はＧＰＳ、８０４は画像・音声入力部、８０５はデータ合成部（ＭＵＸ）、８０６はデータ記憶部を示す。以上のように構成された映像撮影装置において、以下にその動作について説明する。
【０００３】
携帯電話８０１からメモリ８０２に付加情報を送り、またＧＰＳ８０３から位置情報を取得する。データ合成部８０５は画像・音声入力部８０４から入力されたデータとＧＰＳ８０３から取得した位置情報とメモリ８０２内にある付加情報とを合成する。合成されたデータはデータ記憶部８０６に記録される（例えば、特許文献１参照。）。
【特許文献１】特開２００１−２９２４１１号公報
【発明の開示】
【発明が解決しようとする課題】
【０００４】
従来の技術では、すでに撮影装置内にある撮影済み映像ファイルの付加情報を撮影中に変更することできず、撮影後にメディアを取り出してから別操作を必要としていた。また、すでに撮影装置内にある撮影データの使用区間を撮影中に設定することができず、これも撮影後にメディアを取り出してから別操作を必要としていた。
【０００５】
このような課題に鑑み、本発明では、映像撮影装置においてすでに撮影済みの映像ファイルの付加情報や使用区間を撮影中に変更することを目的とする。
【課題を解決するための手段】
【０００６】
上記課題を解決するために、本発明は、映像撮像装置と撮影情報変更装置とを備えた撮影情報変更システムであって、前記映像撮像装置は、映像ファイルを記録する映像ファイル記憶手段と、前記映像ファイル記憶手段内の映像ファイルを読み出す映像ファイル読み出し手段と、映像ファイル名と映像ファイルの使用区間が記述されているインデックスファイルを記録するインデックスファイル記憶手段と、前記インデックスファイル記憶手段内のインデックスファイルを読み出すインデックスファイル読み出し手段と、インデックスファイルの変更時に前記インデックスファイル記憶手段上のインデックスファイルを書き換えるインデックスファイル更新手段と、ネットワーク経由で他の機器と通信を行う第１の通信手段とを備え、前記撮影情報変更装置は、インデックスファイルを取得するインデックスファイル取得手段と、インデックスファイル内に記述されている映像ファイル名の中から映像ファイル名を選択する表示用映像ファイル名選択手段と、前記表示用映像ファイル名選択手段によって取得された映像ファイル名を用いて、映像ファイルを取得する映像ファイル取得手段と、前記映像ファイル取得手段で取得した映像ファイルを表示する映像ファイル表示手段と、前記インデックスファイル取得手段で取得したインデックスファイルを変更するインデックスファイル変更手段と、ユーザからの入力を受け付ける入力手段と、ネットワーク経由で前記第１の通信手段と通信を行う第２の通信手段とを備え、前記インデックスファイル取得手段は、前記第２の通信手段からインデックスファイル取得命令を送信し、前記第１の通信手段が外部からのインデックスファイル取得命令を受信すると、前記インデックスファイル読み出し手段が前記インデックスファイル記憶手段からインデックスファイルを読み出して前記第１の通信手段から送信し、前記第２の通信手段がインデックスファイルを受信すると、前記インデックスファイル取得手段は前記インデックスファイルを取得し、前記表示用映像ファイル名選択手段はインデックスファイルに記述されている映像ファイル名の中から使用区間が記述されている映像ファイル名の一覧を表示し、前記入力手段からの入力にしたがって映像ファイル名を選択し、前記映像ファイル取得手段は、前記表示用映像ファイル名選択手段から選択された映像ファイル名とともに映像ファイル取得命令を前記第２の通信手段から送信し、前記第１の通信手段が外部からの映像ファイル取得命令を受信すると、前記映像ファイル読み出し手段が前記映像ファイル記憶手段から映像ファイルを読み出して前記第１の通信手段から送信し、前記第２の通信手段が映像ファイルを受信すると、前記映像ファイル表示手段が映像ファイルを表示し、前記インデックスファイル変更手段が前記入力手段からの入力にしたがってインデックスファイルファイルを変更すると共にインデックスファイルの変更部分に更新済みマークを記録した後、変更されたインデックスファイルを前記第２の通信手段から送信し、前記第１の通信手段が外部からインデックスファイルを受信すると、前記インデックスファイル更新手段は、インデックスファイル内の更新済みマークがある部分を前記インデックスファイル記憶手段に格納されているインデックスファイルに上書きする構成としたものである。
【発明の効果】
【０００７】
本発明では、撮影情報変更装置が映像撮影装置内にある映像データの付加情報や使用区間を取得して変更を行い、変更後に映像撮影装置内の映像データの付加情報や使用区間の更新を行うことができるため、撮影中にも映像データの付加情報や使用区間を変更することができ、効率的な映像制作を行うことができる。
【発明を実施するための最良の形態】
【０００８】
以下、本発明の実施の形態を、図面を参照しながら説明する。
【０００９】
（実施の形態１）
図１に、本発明の第１実施例における映像撮影装置、撮影情報変更装置のブロック図を示す。同図において１００は映像撮影装置全体、１０１はインデックスファイル記憶手段、１０２は映像ファイル記憶手段、１０３はインデックスファイル読み出し手段、１０４は映像ファイル読み出し手段、１０５はインデックスファイル更新手段、１０６は通信手段を示す。同図において２００は撮影情報変更装置全体、２０１はインデックスファイル取得手段、２０２は表示用映像ファイル名選択手段、２０３は映像ファイル取得手段、２０４は映像ファイル表示手段、２０５はインデックスファイル変更手段、２０６は通信手段を示す。図２は映像装置内のあるインデックスファイルの内容を示す。
【００１０】
映像撮影装置１００は映像ファイルとインデックスファイルを記録する装置である。映像ファイルには撮影された映像データが記録され、インデックスファイルには映像ファイル名、撮影開始時のタイムコードを表すイン点、撮影終了時のタイムコードを表すアウト点、変更したかどうかを示す変更済みマークが記録される。
【００１１】
映像撮影装置１００が最初に撮影を開始すると、インデックスファイル記憶手段１０１内にあるインデックスファイルの内容に映像ファイル名Ｃｕｔ１．ｍｘｆが追加され、その結果、インデックスファイルはインデックスファイル３００のように更新される。撮影開始後に撮影を停止すると、映像ファイルＣｕｔ１．ｍｘｆが作成され、映像ファイル記憶手段１０２内に格納される。またインデックスファイル記憶手段１０１内にあるインデックスファイルの内容に、イン点、アウト点が追加され、インデックスファイル３０１のように更新される。
【００１２】
次に２回目の撮影を開始すると、インデックスファイル記憶手段１０１内にあるインデックスファイルの内容に映像ファイル名Ｃｕｔ２．ｍｘｆが追加され、インデックスファイル３０２のように更新される。
【００１３】
２回目の撮影中に撮影情報変更装置２００が１回目の撮影区間を変更する場合、インデックスファイル取得手段２０１が通信手段２０６にインデックスファイル取得命令を送る。インデックスファイル取得命令を受けた通信手段２０６は映像撮影装置の通信手段１０６に無線ＬＡＮでアクセスし、インデックスファイル取得命令を送る。インデックスファイル取得命令を受けた通信手段１０６はインデックスファイル読み出し手段１０３に読み出し命令を送る。読み出し命令を受けたインデックスファイル読み出し手段１０３はインデックスファイル記憶手段１０１からインデックスファイル３０２を読み出し、通信手段１０６にインデックスファイル３０２を送る。
【００１４】
通信手段１０６はインデックスファイル３０２を取得後、撮影情報変更装置２００内の通信手段２０６にインデックスファイル３０２を送信する。送信されたインデックスファイル３０２はインデックスファイル取得手段２０１で取得される。表示用映像ファイル名選択手段２０２はインデックスファイル取得手段２０１で取得したインデックスファイル３０２を読み込み、インデックスファイル３０２に記述されてある映像ファイル名の中から、すでにイン点、アウト点とも記録されている映像ファイル名の一覧を表示する。ユーザは入力手段（図示せず）を用いて、表示用映像ファイル名選択手段２０２で表示された映像ファイル名の中から表示したい映像ファイル名を選択する。この例では、すでにイン点、アウト点ともに記録されている映像ファイル名はＣｕｔ１．ｍｘｆだけであるので、Ｃｕｔ１．ｍｘｆのみ表示され、Ｃｕｔ１．ｍｘｆを選択するものとする。
【００１５】
映像ファイル取得手段２０３は、表示用映像ファイル名選択手段２０２から映像ファイル名Ｃｕｔ１．ｍｘｆを取得し、通信手段２０６に映像ファイルＣｕｔ１．ｍｘｆ取得命令を送る。映像ファイルＣｕｔ１．ｍｘｆ取得命令を受けた通信手段２０６は映像撮影装置の通信手段１０６に無線ＬＡＮでアクセスし、映像ファイルＣｕｔ１．ｍｘｆ取得命令を送る。映像ファイルＣｕｔ１．ｍｘｆ取得命令を受けた通信手段１０６は映像ファイル読み出し手段１０４に映像ファイルＣｕｔ１．ｍｘｆ読み出し命令を送る。映像ファイルＣｕｔ１．ｍｘｆ読み出し命令を受けた映像ファイル読み出し手段１０４は、映像ファイル記憶手段１０２から映像ファイルＣｕｔ１．ｍｘｆを読み出し、通信手段１０６に映像ファイルＣｕｔ１．ｍｘｆを送る。通信手段１０６は映像ファイルＣｕｔ１．ｍｘｆ取得後、撮影情報変更装置２００内の通信手段２０６に映像ファイルＣｕｔ１．ｍｘｆを送信する。
【００１６】
送信された映像ファイルＣｕｔ１．ｍｘｆは映像ファイル取得手段２０３で取得される。取得した映像ファイルＣｕｔ１．ｍｘｆは映像ファイル表示手段２０４で表示されるので、ユーザは確認をしながら入力手段を用いて映像ファイルの使用区間を決定する。映像ファイルの使用区間決定後、ユーザはインデックスファイル変更手段２０５でインデックスファイルを変更する。映像ファイルの使用区間が撮影開始点の１５秒後から始まり、撮影終了点の１８秒前までの場合、インデックスファイルはイン点、アウト点が更新され、さらに変更済みを示すマークが記録されて、インデックスファイル３０３のように更新される。
【００１７】
インデックスファイル更新後、インデックスファイル変更手段２０５は、通信手段２０６にインデックスファイル３０３とインデックスファイル送信命令を送る。インデックスファイル送信命令を受けた通信手段２０６は、映像撮影装置の通信手段１０６に無線ＬＡＮでアクセスし、インデックスファイル３０３を送信する。通信手段１０６は受信したインデックスファイル３０３をインデックスファイル更新手段１０５に送る。インデックスファイル更新手段１０５は送信されたインデックスファイル３０３内にある変更済みマークがある部分を、インデックスファイル記憶手段１０１に格納されているインデックスファイルに上書きし、更新を行う。
【００１８】
（実施の形態２）
本発明の第２実施例における映像撮影装置、撮影情報変更装置の基本的な構成は第１実施例と同様であり、図１、図２を用いて説明する。なお、第１実施例と同一の部分については、説明を省略する。
【００１９】
映像撮影装置１００は素材用の映像ファイルと、素材用の映像データと同じ画像で素材用の映像ファイルより符号量の少ない低解像度の映像ファイルとインデックスファイルを記録する装置である。素材用の映像ファイルには撮影された映像データと付加情報が記録され、低解像度の映像ファイルにはＭＰＥＧフォーマット等の低解像度の映像データが記録される。また、インデックスファイルには素材用の映像ファイル名、低解像度の映像ファイル名、撮影開始時のタイムコードを表すイン点、撮影終了時のタイムコードを表すアウト点、変更したかどうかを示す変更済みマークが記録される。
この素材用の映像ファイル内の付加情報とは番組名、カット名、撮影者など映像を検索するのに用いる情報である。
【００２０】
映像撮影装置１００が最初に撮影を開始すると、インデックスファイル記憶手段１０１内にあるインデックスファイルの内容に素材用の映像ファイル名Ｃｕｔ１．ｍｘｆと低解像度の映像ファイル名Ｃｕｔ１．ｍｐｇが追加され、インデックスファイル３０４のように更新される。撮影開始後に撮影を停止すると、素材用の映像ファイルＣｕｔ１．ｍｘｆと低解像度の映像ファイルＣｕｔ１．ｍｐｇが作成され、映像ファイル記憶手段１０２内に格納される。またインデックスファイル記憶手段１０１内にあるインデックスファイルの内容に、イン点、アウト点が追加され、インデックスファイル３０５のように更新される。
【００２１】
次に２回目の撮影を開始すると、インデックスファイル記憶手段１０１内にあるインデックスファイルの内容に素材用の映像ファイル名Ｃｕｔ２．ｍｘｆと低解像度の映像ファイル名Ｃｕｔ２．ｍｐｇが追加され、インデックスファイル３０６のように更新される。
【００２２】
２回目の撮影中に撮影情報変更装置２００が１回目の撮影区間を変更する場合、インデックスファイル取得手段２０１が通信手段２０６にインデックスファイル取得命令を送る。インデックスファイル取得命令を受けた通信手段２０６は映像撮影装置の通信手段１０６に無線ＬＡＮでアクセスし、インデックスファイル取得命令を送る。インデックスファイル取得命令を受けた通信手段１０６はインデックスファイル読み出し手段１０３に読み出し命令を送る。読み出し命令を受けたインデックスファイル読み出し手段１０３はインデックスファイル記憶手段１０１からインデックスファイル３０６を読み出し、通信手段１０６にインデックスファイル３０２を送る。
【００２３】
通信手段１０６はインデックスファイル３０６取得後、撮影情報変更装置２００内の通信手段２０６にインデックスファイル３０６を送信する。送信されたインデックスファイル３０６はインデックスファイル取得手段２０１で取得される。表示用映像ファイル名選択手段２０２はインデックスファイル取得手段２０１で取得したインデックスファイル３０６を読み込み、インデックスファイル３０６に記述されてある映像ファイル名の中から、すでにイン点、アウト点とも記録されている低解像度の映像ファイル名の一覧を表示する。ユーザは表示用映像ファイル名選択手段２０２で表示された映像ファイル名の中から表示したい映像ファイル名を選択する。この例では、すでにイン点、アウト点ともに記録されている低解像度の映像ファイル名はＣｕｔ１．ｍｐｇだけであるので、Ｃｕｔ１．  ｍｐｇのみ表示され、Ｃｕｔ１．  ｍｐｇを選択するものとする。
【００２４】
映像ファイル取得手段２０３は、表示用映像ファイル名選択手段２０２から映像ファイル名Ｃｕｔ１．ｍｐｇを取得し、通信手段２０６に映像ファイルＣｕｔ１．  ｍｐｇ取得命令を送る。映像ファイルＣｕｔ１．ｍｐｇ取得命令を受けた通信手段２０６は映像撮影装置の通信手段１０６に無線ＬＡＮでアクセスし、映像ファイルＣｕｔ１．ｍｐｇ取得命令を送る。映像ファイルＣｕｔ１．ｍｐｇ取得命令を受けた通信手段１０６は映像ファイル読み出し手段１０４に映像ファイルＣｕｔ１．ｍｐｇ読み出し命令を送る。映像ファイルＣｕｔ１．ｍｐｇ読み出し命令を受けた映像ファイル読み出し手段１０４は映像ファイル記憶手段１０２から映像ファイルＣｕｔ１．ｍｐｇを読み出し、通信手段１０６に映像ファイルＣｕｔ１．ｍｐｇを送る。通信手段１０６は映像ファイルＣｕｔ１．  ｍｐｇ取得後、撮影情報変更装置２００内の通信手段２０６に映像ファイルＣｕｔ１．  ｍｐｇを送信する。
【００２５】
送信された映像ファイルＣｕｔ１．ｍｐｇは映像ファイル取得手段２０３で取得される。取得した映像ファイルＣｕｔ１．ｍｐｇを映像ファイル表示手段２０４で表示し、確認をしながらユーザは映像ファイルの使用区間を決定する。映像ファイルの使用区間決定後、ユーザはインデックスファイル変更手段２０５でインデックスファイルを変更する。映像ファイルの使用区間が撮影開始点の１５秒後から始まり、撮影終了点の１８秒前までの場合、インデックスファイルはイン点、アウト点が更新され、さらに変更済みを示すマークが記録されて、インデックスファイル３０７のように更新される。
【００２６】
インデックスファイル更新後、インデックスファイル変更手段２０５は、通信手段２０６にインデックスファイル３０７とインデックスファイル送信命令を送る。インデックスファイル送信命令を受けた通信手段２０６は映像撮影装置の通信手段１０６に無線ＬＡＮでアクセスし、インデックスファイル３０７を送信する。通信手段１０６は受信したインデックスファイル３０７をインデックスファイル更新手段１０５に送る。インデックスファイル更新手段１０５は送信されたインデックスファイル３０７内にある変更済みマークがある部分を、インデックスファイル記憶手段１０１に格納されているインデックスファイルに上書きし、更新を行う。
【００２７】
（実施の形態３）
図３に、本発明の第３実施例における映像撮影装置、撮影情報変更装置のブロック図を示す。同図において３３０は映像撮影装置全体、３３１は映像ファイル記憶手段、３３２は映像ファイル名一覧読み出し手段、３３３は映像ファイル読み出し手段、３３４は付加情報読み出し手段、３３５は付加情報更新手段、３３６は通信手段を示す。同図において３６０は撮影情報変更装置全体、３６１は映像ファイル名一覧取得手段、３６２は表示用映像ファイル名選択手段、３６３は映像ファイル取得手段、３６４は付加情報取得手段、３６５は映像ファイル表示手段、３６６は付加情報ファイル作成手段、３６７は付加情報ファイル変更手段、３６８は通信手段を示す。図５は撮影情報変更装置で作成される付加情報ファイルの内容を示す。
【００２８】
映像撮影装置３３０は映像ファイルを記録する装置であり、映像ファイルには撮影された映像データと付加情報が記録される。
この映像ファイル内の付加情報とは番組名、カット名、撮影者など映像を検索するのに用いる情報である。
【００２９】
映像撮影装置３３０が撮影開始後に撮影を停止すると、映像ファイルＣｕｔ１．ｍｘｆが作成され、映像ファイル記憶手段３３１内に格納される。
【００３０】
２回目の撮影中に撮影情報変更装置３６０が１回目に撮影された映像ファイルの付加情報を変更する場合、映像ファイル名一覧取得手段３６１が通信手段３６８に映像ファイル名一覧取得命令を送る。映像ファイル名一覧取得命令を受けた通信手段３６８は映像撮影装置の通信手段３３６に無線ＬＡＮでアクセスし、映像ファイル名一覧取得命令を送る。映像ファイル名一覧取得命令を受けた通信手段３３６は映像ファイル名一覧読み出し手段３３２に読み出し命令を送る。読み出し命令を受けた映像ファイル名一覧読み出し手段３３２は映像ファイル記憶手段３３１から映像ファイル名の一覧を取得し、通信手段３３６に映像ファイル名の一覧を送る。
【００３１】
通信手段３３６は映像ファイル名の一覧を取得後、撮影情報変更装置３６０内の通信手段３６８に映像ファイル名の一覧を送信する。送信された映像ファイル名の一覧は映像ファイル名一覧取得手段３６１で取得される。表示用映像ファイル名選択手段３６２は映像ファイル名一覧取得手段３６１で取得した映像ファイル名の一覧を読み込み、表示する。ユーザは表示用映像ファイル名選択手段３６２で表示された映像ファイル名の中から表示したい映像ファイル名を選択する。
この例では、取得される映像ファイル名はＣｕｔ１．ｍｘｆだけであるので、Ｃｕｔ１．ｍｘｆのみ表示され、Ｃｕｔ１．ｍｘｆを選択するものとする。
【００３２】
映像ファイル取得手段３６３は、表示用映像ファイル名選択手段３６２から映像ファイル名Ｃｕｔ１．ｍｘｆを取得し、通信手段３６８に映像ファイルＣｕｔ１．ｍｘｆ取得命令を送る。映像ファイルＣｕｔ１．ｍｘｆ取得命令を受けた通信手段３６８は映像撮影装置の通信手段３３６に無線ＬＡＮでアクセスし、映像ファイルＣｕｔ１．ｍｘｆ取得命令を送る。映像ファイルＣｕｔ１．ｍｘｆ取得命令を受けた通信手段３３６は映像ファイル読み出し手段３３３に映像ファイルＣｕｔ１．ｍｘｆ読み出し命令を送る。映像ファイルＣｕｔ１．ｍｘｆ読み出し命令を受けた映像ファイル読み出し手段３３３は映像ファイル記憶手段３３１から映像ファイルＣｕｔ１．ｍｘｆを読み出し、通信手段３３６に映像ファイルＣｕｔ１．ｍｘｆを送る。通信手段３３６は映像ファイルＣｕｔ１．ｍｘｆ取得後、撮影情報変更装置３６０内の通信手段３６８に映像ファイルＣｕｔ１．ｍｘｆを送信する。送信された映像ファイルＣｕｔ１．ｍｘｆは映像ファイル取得手段３６３で取得される。
【００３３】
同時に、付加情報取得手段３６４も表示用映像ファイル名選択手段３６２から映像ファイル名Ｃｕｔ１．ｍｘｆを取得し、通信手段３６８にＣｕｔ１．ｍｘｆの付加取得命令を送る。Ｃｕｔ１．ｍｘｆの付加取得命令を受けた通信手段３６８は映像撮影装置の通信手段３３６に無線ＬＡＮでアクセスし、Ｃｕｔ１．ｍｘｆの付加取得命令を送る。Ｃｕｔ１．ｍｘｆの付加取得命令を受けた通信手段３３６は付加情報読み出し手段３３４にＣｕｔ１．ｍｘｆの付加取得命令を送る。Ｃｕｔ１．ｍｘｆの付加取得命令を受けた付加情報読み出し手段３３４は映像ファイル記憶手段３３１から映像ファイルＣｕｔ１．ｍｘｆを読み出し、映像ファイルＣｕｔ１．ｍｘｆヘッダ部から付加情報を抽出して、通信手段３３６に送る。通信手段３３６はＣｕｔ１．ｍｘｆの付加情報取得後、撮影情報変更装置３６０内の通信手段３６８にＣｕｔ１．ｍｘｆの付加情報を送信する。送信されたＣｕｔ１．ｍｘｆの付加情報は付加情報取得手段３６４で取得される。
【００３４】
付加情報ファイル作成手段３６６は付加情報取得手段３６４から読み出された付加情報と、付加情報取得手段３６４が取得した映像ファイル名から付加情報ファイルを作成する。このときＣｕｔ１．ｍｘｆには明示的に付加された情報はないので、付加情報ファイルは映像ファイル名のみが入った付加情報ファイル６００のようになっている。
【００３５】
取得した映像ファイルＣｕｔ１．ｍｘｆは映像ファイル表示手段３６５で表示されるので、ユーザは確認をしながら映像ファイルの付加情報を決定する。映像ファイルの付加情報決定後、ユーザは付加情報ファイル作成手段３６６で取得した付加情報ファイルを付加情報ファイル変更手段３６７で変更する。付加情報として番組名、カット名、撮影者、出演者、撮影場所を記述したときの付加情報ファイルは付加情報ファイル６０１のようになる。
【００３６】
付加情報ファイル更新後、付加情報ファイル変更手段３６７は通信手段３６８に付加情報ファイル６０１と付加情報ファイル送信命令を送る。付加情報ファイル送信命令を受けた通信手段３６８は映像撮影装置の通信手段３３６に無線ＬＡＮでアクセスし、付加情報ファイル６０１を送信する。通信手段３３６は受信した付加情報ファイル６０１を付加情報更新手段３３５に送る。付加情報更新手段３３５は送信された付加情報ファイル６０１内の映像ファイル名から付加情報を変更する映像ファイルＣｕｔ１．ｍｘｆを特定し、付加情報を映像ファイル記憶手段内にある映像ファイルＣｕｔ１．ｍｘｆ内のヘッダ部分に埋め込む。
【００３７】
なお、付加情報を映像ファイル内ではなく別ファイルである付加情報ファイルとして記録していても、付加情報読み出し手段が付加情報ファイルを読み出すことによって、同様な効果をえることができる。（実施の形態４）
本発明の第４実施例における映像撮影装置、撮影情報変更装置のブロック図を図４に示す。同図において４５０は映像撮影装置全体、４５１は映像ファイル記憶手段、４５２はインデックスファイル記憶手段、４５３はインデックスファイル読み出し手段、４５４は映像ファイル読み出し手段、４５５は付加情報読み出し手段、４５６は付加情報更新手段、４５７は通信手段を示す。同図において５５０は撮影情報変更装置全体、５５１はインデックスファイル取得手段、５５２は表示用映像ファイル名選択手段、５５３は映像ファイル取得手段、５５４は素材用映像ファイル名取得手段、５５５は付加情報取得手段、５５６は映像ファイル表示手段、５５７は付加情報ファイル作成手段、５５８は付加情報ファイル変更手段、５５９は通信手段を示す。図５は撮影情報変更装置で作成される付加情報ファイルの内容を示す。図６は映像装置内のあるインデックスファイルの内容を示す。
【００３８】
映像撮影装置４５０は素材用の映像ファイルと、素材用の映像データと同じ画像で素材用の映像ファイルより符号量の少ない低解像度の映像ファイルとインデックスファイルを記録する装置である。映像ファイルには撮影された映像データと付加情報が記録され、低解像度の映像ファイルには映像データが記録され、インデックスファイルには映像ファイル名、撮影開始時のタイムコードを表すイン点、撮影終了時のタイムコードを表すアウト点、変更したかどうかを示す変更済みマークが記録される。この映像ファイル内の付加情報とは番組名、カット名、撮影者など映像を検索するのに用いる情報である。
【００３９】
映像撮影装置４５０が撮影開始後に撮影を停止すると、素材用の映像ファイルＣｕｔ１．ｍｘｆと低解像度の映像ファイルＣｕｔ１．ｍｐｇが作成され、映像ファイル記憶手段４５１内に格納される。また、インデックスファイル記憶手段４５２内にあるインデックスファイルの内容に素材用の映像ファイル名Ｃｕｔ１．ｍｘｆ、低解像度の映像ファイル名Ｃｕｔ１．ｍｐｇ、イン点、アウト点が追加され、インデックスファイル７０２のように更新される。
【００４０】
次に２回目の撮影を開始すると、インデックスファイル記憶手段４５２内にあるインデックスファイルの内容に素材用の映像ファイル名Ｃｕｔ２．ｍｘｆと低解像度の映像ファイル名Ｃｕｔ２．ｍｐｇが追加され、インデックスファイル７０３のように更新される。
【００４１】
２回目の撮影中に撮影情報変更装置５５０が１回目に撮影された映像ファイルの付加情報を変更する場合、インデックスファイル取得手段５５１が通信手段５５９にインデックスファイル取得命令を送る。インデックスファイル取得命令を受けた通信手段５５９は映像撮影装置の通信手段４５７に無線ＬＡＮでアクセスし、インデックスファイル取得命令を送る。インデックスファイル取得命令を受けた通信手段４５７はインデックスファイル読み出し手段４５３に読み出し命令を送る。読み出し命令を受けたインデックスファイル読み出し手段４５３はインデックスファイル記憶手段４５２からインデックスファイル７０３を読み出し、通信手段４５７にインデックスファイル７０３を送る。
【００４２】
通信手段４５７はインデックスファイル７０３を取得後、撮影情報変更装置５５０内の通信手段５５９にインデックスファイル７０３を送信する。送信されたインデックスファイル７０３はインデックスファイル取得手段５５１で取得される。表示用映像ファイル名選択手段５５２はインデックスファイル取得手段５５１で取得したインデックスファイル７０３を読み込み、インデックスファイル７０３に記述されてある映像ファイル名の中から、すでにイン点、アウト点とも記録されている低解像度の映像ファイル名の一覧を表示する。ユーザは表示用映像ファイル名選択手段５５２で表示された映像ファイル名の中から表示したい映像ファイル名を選択する。この例では、すでにイン点、アウト点ともに記録されている低解像度の映像ファイル名はＣｕｔ１．ｍｐｇだけであるので、Ｃｕｔ１．  ｍｐｇのみ表示され、Ｃｕｔ１．  ｍｐｇを選択するものとする。
【００４３】
映像ファイル取得手段５５３は、表示用映像ファイル名選択手段５５２から映像ファイル名Ｃｕｔ１．ｍｐｇを取得し、通信手段５５９に映像ファイルＣｕｔ１．ｍｐｇ取得命令を送る。映像ファイルＣｕｔ１．ｍｐｇ取得命令を受けた通信手段５５９は映像撮影装置の通信手段４５７に無線ＬＡＮでアクセスし、映像ファイルＣｕｔ１．ｍｐｇ取得命令を送る。映像ファイルＣｕｔ１．ｍｐｇ取得命令を受けた通信手段４５７は映像ファイル読み出し手段４５４に映像ファイルＣｕｔ１．ｍｐｇ読み出し命令を送る。映像ファイルＣｕｔ１．ｍｐｇ読み出し命令を受けた映像ファイル読み出し手段４５４は映像ファイル記憶手段４５１から映像ファイルＣｕｔ１．ｍｐｇを読み出し、通信手段４５７に映像ファイルＣｕｔ１．ｍｐｇを送る。通信手段４５７は映像ファイルＣｕｔ１．ｍｐｇ取得後、撮影情報変更装置５５０内の通信手段５５９に映像ファイルＣｕｔ１．ｍｐｇを送信する。
【００４４】
送信された映像ファイルＣｕｔ１．ｍｐｇは映像ファイル取得手段５５３で取得される。素材用映像ファイル名取得手段５５４は、表示用映像ファイル名選択手段５５２から映像ファイル名Ｃｕｔ１．ｍｐｇを取得し、取得した映像ファイル名の拡張子が素材用の映像ファイル名のものと異なる場合、インデックスファイル取得手段５５１で取得したインデックスファイル７０３内から取得した映像ファイル名の文字列Ｃｕｔ１．ｍｐｇを検索し、文字列が見つかれば、同じ行に書いてある素材用のファイル名を取得する。この場合インデックスファイル７０３内で、Ｃｕｔ１．ｍｐｇと同じ行に書いてある素材用のファイル名はＣｕｔ１．ｍｘｆであるので、Ｃｕｔ１．ｍｘｆが取得される。
【００４５】
付加情報取得手段５５５は素材用映像ファイル名取得手段５５４から素材用映像ファイル名Ｃｕｔ１．ｍｘｆを取得し、通信手段５５９にＣｕｔ１．ｍｘｆの付加取得命令を送る。Ｃｕｔ１．ｍｘｆの付加取得命令を受けた通信手段５５９は映像撮影装置の通信手段４５７に無線ＬＡＮでアクセスし、Ｃｕｔ１．ｍｘｆの付加取得命令を送る。Ｃｕｔ１．ｍｘｆの付加取得命令を受けた通信手段４５７は付加情報読み出し手段４５５にＣｕｔ１．ｍｘｆの付加取得命令を送る。Ｃｕｔ１．ｍｘｆの付加取得命令を受けた付加情報読み出し手段４５５は映像ファイル記憶手段４５１から映像ファイルＣｕｔ１．ｍｘｆを読み出し、映像ファイルＣｕｔ１．ｍｘｆヘッダ部から付加情報を抽出して、通信手段４５７に送る。通信手段４５７はＣｕｔ１．ｍｘｆの付加情報取得後、撮影情報変更装置５５０内の通信手段５５９にＣｕｔ１．ｍｘｆの付加情報を送信する。送信されたＣｕｔ１．ｍｘｆの付加情報は付加情報取得手段５５５で取得される。
【００４６】
付加情報ファイル作成手段５５７は付加情報取得手段５５５から読み出された付加情報と、付加情報取得手段５５５が取得した映像ファイル名から付加情報ファイルを作成する。このときＣｕｔ１．ｍｘｆには明示的に付加された情報はないので、付加情報ファイルは映像ファイル名のみが入った付加情報ファイル６００のようになっている。
【００４７】
付加情報ファイル作成後、取得した映像ファイルＣｕｔ１．ｍｐｇを映像ファイル表示手段５５６で表示し、確認をしながらユーザは映像ファイルの付加情報を決定する。映像ファイルの付加情報決定後、ユーザは付加情報ファイル作成手段５５７で取得した付加情報ファイルを付加情報ファイル変更手段５５８で変更する。付加情報として、番組名、カット名、撮影者、出演者、撮影場所を記述したときの付加情報ファイルは付加情報ファイル６０１のようになる。
【００４８】
付加情報ファイル更新後、付加情報ファイル変更手段５５８は通信手段５５９に付加情報ファイル６０１と付加情報ファイル送信命令を送る。付加情報ファイル送信命令を受けた通信手段５５９は映像撮影装置の通信手段４５７に無線ＬＡＮでアクセスし、付加情報ファイル６０１を送信する。通信手段４５７は受信した付加情報ファイル６０１を付加情報更新手段４５６に送る。
【００４９】
付加情報更新手段４５６は送信された付加情報ファイル６０１内の映像ファイル名から付加情報を変更する映像ファイルＣｕｔ１．ｍｘｆを特定し、付加情報を映像ファイル記憶手段内にある映像ファイルＣｕｔ１．ｍｘｆ内のヘッダ部分に埋め込む。
【００５０】
なお、実施の形態３、４において、付加情報を映像ファイル内ではなく別ファイルである付加情報ファイルとして記録していても、付加情報読み出し手段が付加情報ファイルを読み出すことによって、同様な効果をえることができる。
【００５１】
なお、実施の形態３、４において、付加情報ファイルを作成せず、取得した付加情報を直接変更することも考えられる。この場合には、付加情報ファイル変更手段の代わりに、直接付加情報を変更する付加情報変更手段をもつようにしてこれによって付加情報を変更し、更新された付加情報を通信手段を介して映像撮影装置に送信し、元の映像ファイルに埋め込むようにすればよい。
【００５２】
なお、実施の形態３、４においては撮影情報変更装置が映像撮影装置から映像ファイルと付加情報を個別に取得する構成としているが、撮影情報変更装置が付加情報読み出し手段を備えた構成とし、映像撮影装置からは映像ファイルのみを取得し、撮影情報変更装置側の付加情報読み出し手段によって、付加情報映像ファイルから付加情報を抽出するようにしてもよい。こうすることで、通信手段によって受信するデータ量が付加情報の分だけ減少するため、データ転送速度の低い通信手段を使用する場合に効果がある。
【産業上の利用可能性】
【００５３】
本発明にかかる撮影情報変更システムは、映像撮影中に映像データの付加情報や使用区間を変更する機能を有し、効率的な映像制作を行う際に有用である。
【図面の簡単な説明】
【００５４】
【図１】本発明の第１、第２実施例のブロック図
【図２】本発明の第１、第２実施例のインデックスファイルの説明図
【図３】本発明の第３実施例のブロック図
【図４】本発明の第４実施例のブロック図
【図５】本発明の第３、第４実施例の付加情報の説明図
【図６】本発明の第４実施例のインデックスファイルの説明図
【図７】従来例のブロック図
【符号の説明】
【００５５】
１００  映像撮影装置
１０１  インデックスファイル記憶手段
１０２  映像ファイル記憶手段
１０３  インデックスファイル読み出し手段
１０４  映像ファイル読み出し手段
１０５  インデックスファイル更新手段
１０６  通信手段
２００  撮影情報変更装置
２０１  インデックスファイル取得手段
２０２  表示用映像ファイル名選択手段
２０３  映像ファイル取得手段
２０４  映像ファイル表示手段
２０５  インデックスファイル変更手段
２０６  通信手段
３００  １回目撮影中のインデックスファイル
３０１  １回目撮影後のインデックスファイル
３０２  ２回目撮影中のインデックスファイル
３０３  撮影情報変更装置で変更後のインデックスファイル
３０４  １回目撮影中のインデックスファイル
３０５  １回目撮影後のインデックスファイル
３０６  ２回目撮影中のインデックスファイル
３０７  撮影情報変更装置で変更後のインデックスファイル
３３０  映像撮影装置
３３１  映像ファイル記憶手段
３３２  映像ファイル名一覧読み出し手段
３３３  映像ファイル読み出し手段
３３４  付加情報読み出し手段
３３５  付加情報更新手段
３３６  通信手段
３６０  撮影情報変更装置
３６１  映像ファイル名一覧取得手段
３６２  表示用映像ファイル名選択手段
３６３  映像ファイル取得手段
３６４  付加情報取得手段
３６５  映像ファイル表示手段
３６６  付加情報ファイル作成手段
３６７  付加情報ファイル変更手段
３６８  通信手段
４５０  映像撮影装置
４５１  映像ファイル記憶手段
４５２  インデックスファイル記憶手段
４５３  インデックスファイル読み出し手段
４５４  映像ファイル読み出し手段
４５５  付加情報読み出し手段
４５６  付加情報更新手段
４５７  通信手段
５５０  撮影情報変更装置
５５１  インデックスファイル取得手段
５５２  表示用映像ファイル名選択手段
５５３  映像ファイル取得手段
５５４  素材用映像ファイル名選択手段
５５５  付加情報取得手段
５５６  映像ファイル表示手段
５５７  付加情報ファイル作成手段
５５８  付加情報ファイル変更手段
５５９  通信手段
６００  撮影情報変更装置で変更前の付加情報ファイル
６０１  撮影情報変更装置で変更後の付加情報ファイル
７０２  １回目撮影後のインデックスファイル
７０３  ２回目撮影中のインデックスファイル
８００  映像撮影装置
８０１  携帯電話
８０２  メモリ
８０３  ＧＰＳ
８０４  画像・音声入力部
８０５  ＭＵＸ
８０６  データ記録部
【図１】
2005057635.tif 000003
【図２】
2005057635.tif 000004
【図３】
2005057635.tif 000005
【図４】
2005057635.tif 000006
【図５】
2005057635.tif 000007
【図６】
2005057635.tif 000008
【図７】
2005057635.tif 000009